(57)【要約】【課題】湯切り口を露出させるための蓋材への加工が、従来のように易剥離層の剥離性の管理等の難しさがない、即ち製造コストが嵩まず、かつ、ほぐされた麺類等がその角部に集まっても湯切りがすみやかにできる湯切り機能付即席食品容器の提供にある。【解決手段】容器本体のフランジ部２１に、外周には開封用プルタブ１２とこれに対峙する位置に湯切り口開口用プルタブ１３を有し、表面シート２０と内面シート１０とが接着剤層１５を介して積層され、内面シートには複数の湯切り口形成用ハーフカット５０が施され、かつ湯切り口開口用プルタブ１３側の内面シート１０には湯切り口開口用の表面シート剥離用ハーフカット４０が施されている蓋材１をシールしてなり、前記内面シート１０は表層剥離により剥離する基材１７ａとシーラント層１６で構成されている湯切り機能付即席食品容器１００である。【選択図】図１
2005231636.tif 000002
【特許請求の範囲】
【請求項１】
容器本体の開口部を形成するフランジ部に、該容器本体の開口部と略同じ外形を有し、外周には開封用プルタブと該開封用プルタブに対峙する位置に湯切り口開口用プルタブを有し、表面シートと内面シートとが接着剤層を介して積層され、該湯切り口開口用プルタブ側の内面シートには１乃至複数の湯切り口形成用ハーフカットが施され、かつ湯切り口開口用プルタブの基部近傍の内面シートには湯切り口を開口するための表面シート剥離用ハーフカットが施されている蓋材をシールしてなる湯切り機能付即席食品容器において、前記湯切り口形成用ハーフカットが施されている内面シートは少なくとも基材とシーラント層で構成され、該湯切り口形成用ハーフカットは内面シートのシーラント層側から基材までもしくは接着剤層まで刻設され、前記湯切り口の開口に際し、前記内面シートを構成する基材が表層剥離もしくは層間剥離により剥離するようにしたことを特徴とする湯切り機能付即席食品容器。
【請求項２】
容器本体の開口部を形成するフランジ部に、該容器本体の開口部と略同じ外形を有し、外周には開封用プルタブと該開封用プルタブに対峙する周縁近傍に湯切り口開口用プルタブを有し、表面シートと内面シートとが接着剤層を介して積層され、該湯切り口開口用プルタブ側の内面シートには１乃至複数の湯切り口形成用ハーフカットが施され、かつ湯切り口開口用プルタブの基部近傍の内面シートには湯切り口を開口するための表面シート剥離用ハーフカットが施され、前記湯切り口形成用ハーフカットが施されている表面シートの湯切り口開口用プルタブ側に切離線が刻設され、該切離線近傍に前記湯切り口開口用プルタブを有している蓋材をシールしてなる湯切り機能付即席食品容器において、前記湯切り口形成用ハーフカットが施された内面シートは少なくとも基材とシーラント層で構成され、該湯切り口形成用ハーフカットは内面シートのシーラント層側から基材までもしくは接着剤層まで刻設され、前記湯切り口の開口に際し、前記内面シートを構成する基材が表層剥離もしくは層間剥離により剥離するようにしたことを特徴とする湯切り機能付即席食品容器。
【請求項３】
上記表層剥離により剥離する基材が二軸延伸ポリプロピレンフィルムであることを特徴とする請求項１または２記載の湯切り機能付即席食品容器。
【請求項４】
上記層間剥離により剥離する基材が紙であることを特徴とする請求項１または２記載の湯切り機能付即席食品容器。
【発明の詳細な説明】
【技術分野】
【０００１】
本発明は、焼そばなど即席食品等の密封包装に使用する即席食品容器に関するものであり、特に即席食品を柔らかくほぐすために注入する熱湯を排出する湯切り口を備えた蓋材が開口部にシールされている湯切り機能付即席食品容器に関する。
【背景技術】
【０００２】
従来、即席用の焼きそば、スパゲティ等を食するに際し、熱湯を注いで所定の時間が経過した後に排湯（湯切り）処理を必要とする即席食品用容器が知られ、その即席食品用容器の湯切り機能を有する蓋材は、例えば、図７の側断面図に示すように、突き破り用孔（７７）が穿設された表面シート（２０）の裏面にアルミニウム箔（１９）とシーラント層（１６）を積層したものがあるが、この蓋材では、搬送中などで意に反して突き破り用孔（７７）が破れたり、また湯切りに際しては、箸などで突き破り用孔（７７）からアルミニウム箔（１９）とシーラント層（１６）を突き破らなければならず、よって箸などを必要とすることや破られた開口部の大きさや形状が一定にならないのでスムーズな湯切りができず、また破りカスが食品等に混入する危惧があるなどの問題点があった。
【０００３】
これらの問題を解決するものとして最近開発された蓋材として、例えば図８（ａ）の側断面図および図８（ｂ）の平面図に示すような即席食品を密封包装する湯切り口付剥離性蓋材（３）がある。それは、表面シート（２０）を外面側にして、その内面側（食品側）に内面シート（１０）（内面から、例えばシーラント層（１６）／アルミニウム箔（１９）／接着性樹脂層（１５）でなる）を重ね合わせ積層したシート状の蓋（例えば円形状）であり、その蓋の外周円弧部分からその内側にかけて一部領域の前記内面シート（１０）と表面シート（２０）との重ね合わせ内面には、易剥離剤（剥離ニス）を塗布することにより形成された易剥離層（３０）による易剥離領域（Ｌ１）を備え、それ以外の該複合シート（１０）と表面シート（２０）との重ねあわせ内面には、接着された状態の接着領域（Ｌ２）を備えている。
【０００４】
そして、上記の易剥離領域（Ｌ１）内における内面シート（１０）に１個所乃至数個所には、内径Ｒの湯切り孔形状の湯切り口形成用ハーフカット（５０）が形成され、該湯切り口形成用ハーフカット（５０）領域内の内面シート（１０）と表面シート（２０）の内面には内径ｒのハーフカット領域内接着部（６０）（易剥離層（３０）の形成されない部分）が設けられていて、内面シート（１０）と表面シート（２０）とは内面シート（１０）と表面シート（２０）とはハーフカット領域内接着部（６０）において互いに接着している。
【０００５】
上記のような構造の即席食品容器の湯切り口付剥離性蓋材（３）は、図９の側断面図に示すように、即席食品を入れた容器本体（２）の上端部にある開口フランジ部（２１）接着シールして容器本体（２）を密封包装することにより即席食品を密封包装した即席食品用容器となるものである。
【０００６】
上記のようして即席食品を密封包装した容器本体（２）は、図８（ｂ）に示す接着領域（Ｌ２）側の蓋材外周にある開封用プルタブ（１２）を引っ張り上げて、容器本体（２）のフランジ部（２１）から接着領域（Ｌ２）側の内面シート（１０）を部分的に剥がして開口し、その開口部より熱湯を注入した後、蓋材外周にある開封用プルタブ（１２）を再度フランジ部（２１）の外側に折り込むようにして施蓋し、数分間放置して容器本体（２）の中にある即席食品（図示せず）を柔らかくほぐす。
【０００７】
その後、図８（ｂ）に示す易剥離領域（Ｌ１）の外周にある湯切り口開口用プルタブ（１３）を引っ張り上げて、図１０の側断面を表す模式図に示すように、易剥離領域（Ｌ１）の表面シート（２０）を内面シート（１０）から剥離するとともに、この表面シート（２０）に接着している湯切り口形成用ハーフカット（５０）領域内の内面シート（１０）を切り離し、内面シート（１０）に内径Ｒの安定した大きさの湯切り口（７０）を形成した後、容器本体（２）を傾けて中にある湯を湯切り口（７０）から排出することができるようになっているものがある（例えば、特許文献１参照。）。
【０００８】
しかしながら、上記の従来の湯切り口付剥離性蓋材（３）が使用されている即席食品容器では、表面シートの裏面の易剥離層（３０）に内径ｒの非易剥離部即ち易剥離剤で非塗布部の形成、すなわちパターン形成という煩雑さと、この非塗布部即ち接着部（６０）を覆うように内径Ｒの湯切り形成用ハーフカット（５０）を施すという加工精度管理と、さらに易剥離剤の剥離性の管理等に難しさがあり、その結果として製造コストが嵩むという問題点があった。
【０００９】
上記易剥離層に非塗布部の形成、すなわちパターン形成という煩雑さや剥離性の管理等に係る製造コストが嵩むという問題を解決するものとして、例えば図１１（ａ）の上面図および図１１（ｂ）の側断面図に示すように、フランジ部（２１）が設けられた四角形状の容器本体（２）の開口部をシールする、少なくとも紙層を表面シート（２０）とし、最内層がシーラント層（１６）でなる蓋材で、対角線上に位置する一方の角部（１２ａ）に突出して開封用プルタブ（１２）が設けられ、もう一方の角部（１１ａ）には該角部（１１ａ）を形成する二辺の一辺（２３）からもう一方の辺（２４）にわたり、容器本体（２）の角部（１１ａ）の内側を横切るハーフカット線（ａ）が設けられ、該ハーフカット線（ａ）が形成された蓋材の両端縁には、このハーフカット線（ａ）に平行に切り込み線（ｂ）が設けられている湯切り機能付き即席食品用蓋材がある（例えば、特許文献２参照。）。
【００１０】
以下に、上記先行技術文献を示す。
【特許文献１】特開２０００−１０９１４１号公報
【特許文献２】特開２００２−２３４５６４号公報
【発明の開示】
【発明が解決しようとする課題】
【００１１】
しかし、上記従来の湯切り機能機能付き即席食品用蓋材では、例えば図１１（ａ）および図１１（ｂ）に示すハーフカット線（ａ）のカット精度の要求が高く、特に本生産では、その精度にバラツキが多く、開口不良となったりするという問題点があり、さらにまた、図１２に示すように、即席食品を柔らかくほぐした後の湯を排出するに際し、ハーフカット線（ａ）から角部（１１ａ）側の蓋材を切り取って開口した湯切り口（７０）では、排湯の出る面積が小さいことと、さらにほぐれた麺類やかやく等が湯切り口（７０）近傍の角部（１１ａ）に集まってくることから、湯切りがし難くく、時間がかかるという問題点があった。
【００１２】
本発明は、かかる従来技術の問題点を解決するものであり、その課題とするところは、湯切りを必要とする湯切り機能付即席食品容器において、該湯切り口を露出させるための蓋材への加工が、従来のような非剥離部の形成やパターン化された易剥離層の剥離性の管理等の難しさがない、すなわち製造コストが嵩まず、かつ、たとえ湯切り口の開口に際し、その開口の面積が大きく、かつほぐされた麺類等がその角部に集まったとしても湯切りがすみやかに（多くの時間を要せずに）できる湯切り機能付即席食品容器を提供すること
にある。
【課題を解決するための手段】
【００１３】
本発明に於いて上記課題を達成するために、まず請求項１の発明では、容器本体の開口部を形成するフランジ部に、該容器本体の開口部と略同じ外形を有し、外周には開封用プルタブと該開封用プルタブに対峙する位置に湯切り口開口用プルタブを有し、表面シートと内面シートとが接着剤層を介して積層され、該湯切り口開口用プルタブ側の内面シートには１乃至複数の湯切り口形成用ハーフカットが施され、かつ湯切り口開口用プルタブの基部近傍の内面シートには湯切り口を開口するための表面シート剥離用ハーフカットが施されている蓋材をシールしてなる湯切り機能付即席食品容器において、前記湯切り口形成用ハーフカットが施されている内面シートは少なくとも基材とシーラント層で構成され、該湯切り口形成用ハーフカットは内面シートのシーラント層側から基材までもしくは接着剤層まで刻設され、前記湯切り口の開口に際し、前記内面シートを構成する基材が表層剥離もしくは層間剥離により剥離するようにしたことを特徴とする湯切り機能付即席食品容器としたものである。
【００１４】
また、請求項２の発明では、容器本体の開口部を形成するフランジ部に、該容器本体の開口部と略同じ外形を有し、外周には開封用プルタブと該開封用プルタブに対峙する周縁部近傍に湯切り口開口用プルタブを有し、表面シートと内面シートとが接着剤層を介して積層され、該湯切り口開口用プルタブ側の内面シートには１乃至複数の湯切り口形成用ハーフカットが施され、かつ湯切り口開口用プルタブの基部近傍の内面シートには湯切り口を開口するための表面シート剥離用ハーフカットが施され、前記湯切り口形成用ハーフカットが施されている表面シートの湯切り口開口用プルタブ側に切離線が刻設され、該切離線近傍に前記湯切り口開口用プルタブを有している蓋材をシールしてなる湯切り機能付即席食品容器において、前記湯切り口形成用ハーフカットが施された内面シートは少なくとも基材とシーラント層で構成され、該湯切り口形成用ハーフカットは内面シートのシーラント層側から基材までもしくは接着剤層まで刻設され、前記湯切り口の開口に際し、前記内面シートを構成する基材が表層剥離もしくは層間剥離により剥離するようにしたことを特徴とする湯切り機能付即席食品容器としたものである。
【００１５】
また、請求項３の発明では、上記表層剥離により剥離する基材が二軸延伸ポリプロピレンフィルムであることを特徴とする請求項１または２記載の湯切り機能付即席食品容器としたものである。
【００１６】
さらにまた、請求項４の発明では、上記層間剥離により剥離する基材が紙であることを特徴とする請求項１または２記載の湯切り機能付即席食品容器としたものである。
【発明の効果】
【００１７】
本発明は以上の構成であるから、下記に示す如き効果がある。
【００１８】
即ち、上記請求項１に係る発明によれば、容器本体の開口部を形成するフランジ部に、該容器本体の開口部と略同じ外形を有し、外周には開封用プルタブと該開封用プルタブに対峙する位置に湯切り口開口用プルタブを有し、表面シートと内面シートとが接着剤層を介して積層され、該湯切り口開口用プルタブ側の内面シートには１乃至複数の湯切り口形成用ハーフカットが施され、かつ湯切り口開口用プルタブの基部近傍の内面シートには湯切り口を開口するための表面シート剥離用ハーフカットが施されている蓋材をシールしてなる湯切り機能付即席食品容器において、前記湯切り口形成用ハーフカットが施されている内面シートは少なくとも基材とシーラント層で構成され、該湯切り口形成用ハーフカットは内面シートのシーラント層側から基材までもしくは接着剤層まで刻設され、前記湯切り口の開口に際し、前記内面シートを構成する基材が表層剥離もしくは層間剥離により剥
離するようにしたので、従来のように非剥離部の形成やパターン化された易剥離層の剥離性の管理等の難しさがない、すなわち製造コストが嵩まず、かつ湯切り口の開口に際し、その開口面積が大きく、かつほぐされた麺類等がその角部等に集まったとしても湯切りがすみやかに（多くの時間を要せずに）できる湯切り機能付即席食品容器を提供することができる。
【００１９】
また、上記請求項２に係る発明によれば、容器本体の開口部を形成するフランジ部に、該容器本体の開口部と略同じ外形を有し、外周には開封用プルタブと該開封用プルタブに対峙する周縁近傍に湯切り口開口用プルタブを有し、表面シートと内面シートとが接着剤層を介して積層され、該湯切り口開口用プルタブ側の内面シートには１乃至複数の湯切り口形成用ハーフカットが施され、かつ湯切り口開口用プルタブの基部近傍の内面シートには湯切り口を開口するための表面シート剥離用ハーフカットが施され、前記湯切り口形成用ハーフカットが施されている表面シートの湯切り口開口用プルタブ側に切離線が刻設され、該切離線近傍に前記湯切り口開口用プルタブを有している蓋材をシールしてなる湯切り機能付即席食品容器において、前記湯切り口形成用ハーフカットが施された内面シートは少なくとも基材とシーラント層で構成され、該湯切り口形成用ハーフカットは内面シートのシーラント層側から基材までもしくは接着剤層まで刻設され、前記湯切り口の開口に際し、前記内面シートを構成する基材が表層剥離もしくは層間剥離により剥離するようにしたので、従来のように非剥離部の形成やパターン化された易剥離層の剥離性の管理等の難しさがない、即ち製造コストが嵩まず、かつ湯切り口の開口に際し、その開口面積が大きく、かつほぐされた麺類等がその角部等に集まっても湯切りがすみやかに（多くの時間を要せずに）でき、さらに湯切り口の開口のための表面シートの剥離に際し、切離線で剥離を停止させ、表面シートを切離しすることができる湯切り機能付即席食品容器を提供することができる
また、上記請求項３に係る発明によれば、上記表層剥離により剥離する基材が二軸延伸ポリプロピレンフィルムとすることによって、表層剥離がよりし易くなり、表面シートの剥離をより容易にする湯切り機能付即席食品容器とすることができる。
【００２０】
さらにまた、上記請求項３に係る発明によれば、上記層間剥離により剥離する基材が紙とすることによって、層間剥離がよりし易くなり、表面シートの剥離をより容易にする湯切り機能付即席食品容器とすることができる。
【００２１】
従って本発明は、焼そばなど即席食品等の密封包装に使用する即席食品容器で、特に即席食品を柔らかくほぐすために注入する熱湯を排出する湯切り口を備えた蓋材が開口部にシールされている湯切り機能付即席食品容器として、上記のような優れた実用上の効果を発揮する。
【発明を実施するための最良の形態】
【００２２】
以下本発明を実施するための最良の形態を図面を用いて詳細に説明する。
【００２３】
図１は、本発明の湯切り機能付即席食品容器の一事例を示すもので、その上面図とその上面図のＢ−Ｂ面における切断断面図であり、図２は、他の形状の事例を示す上面図である。また、図３は、本発明の湯切り機能付即席食品容器を用いて湯切り口を開口した一事例を説明する側断面図である。また、図４は、本発明の湯切り機能付即席食品容器の他の事例を示す上面図とその上面図のＢ−Ｂ面における切断断面図であり、図５は、図４に示す湯切り機能付即席食品容器の蓋材の他の形状の事例を示す上面図であり、図６は、図５に示した湯切り機能付即席食品容器を用いて湯切り口を開口した一事例を説明する斜視図である。
【００２４】
上記請求項１に係る発明は、例えば図１（ａ）の上面図およびそのＢ−Ｂ面を表す図１
（ｂ）の断面図に示すように、容器本体（２）の開口部を形成するフランジ部（２１）に、表面シート（２０）と内面シート（１０）とが接着剤層（１５）を介して積層されている四角形状の蓋材（１）がシールされている湯切り機能付即席食品容器（１００）で、この表面シート（２０）は、例えば表面に印刷される紙層（１４）の裏面にアルミニウム箔（１９）がサンドイッチポリエチレン層（１８）を介して積層されていて、内面シート（１０）は、最内層のシーラント層（１６）とその上の基材で構成され、この基材は、請求項３に係る発明では、表層剥離により剥離する二軸延伸ポリプロピレン（以下ＯＰＰと略す）でなる基材（１７ａ）で構成されている。
【００２５】
上記表面シート（２０）を構成する表面に印刷される紙層（１４）に代え、裏面に印刷されるポリエチレンテレフタレート（ＰＥＴ）フィルムとすることもできる。
【００２６】
上記四角形状の蓋材（１）は、容器本体（２）の開口部と略同じ外形を有し、その一角部には開封用プルタブ（１２）が設けられ、この開封用プルタブ（１２）に対峙する角部には湯切り口開口用プルタブ（１３）が設けられている。
【００２７】
上記内面シート（１０）の湯切り口開口用プルタブ（１３）側には６個の湯切り口形成用ハーフカット（５０）が内面シート（１０）を構成するシーラント層（１６）からＯＰＰでなる基材（１７ａ）を貫通し接着剤層（１５）まで刻設されていて、さらに内面シート（１０）には、湯切り口開口用プルタブ（１３）の基部近傍に湯切り口を開口するための表面シート剥離用ハーフカット（４０）が施されている蓋材（１）を容器本体（２）のフランジ部（２１）にシールしてなる湯切り機能付即席食品容器（１００）である。
【００２８】
このように、上記請求項１、３に係る発明では、湯切り口形成用ハーフカット（５０）が施されている内面シート（１０）は、少なくとも表層剥離により剥離するＯＰＰでなる基材（１７ａ）とシーラント層（１６）で構成され、この湯切り口形成用ハーフカット（５０）はシーラント層（１６）側から接着剤層（１５）まで刻設されているので、例えば図３（ａ）の切断面を表す模式図に示すように、湯切り口開口用プルタブ（１３）を引っ張り上げ、この基部の内面シート（１０）に刻設されている表面シート剥離用ハーフカット（４０）を起点として表面シート（２０）を剥離する、いわゆる湯切り口（７０）の開口に際し、内面シート（１０）を構成するＯＰＰでなる基材（１７ａ）がＯＰＰでなる基材（１７ａ）と接着剤層（１５）との界面で表層剥離により剥離するようにした湯切り機能付即席食品容器（１００）としたものである。
【００２９】
また、上記請求項１、４に係る発明では、例えば図３（ｂ）の切断面を表す模式図に示すように、湯切り口形成用ハーフカット（５０）が施されている内面シート（１０）は、少なくとも層間剥離により剥離する紙でなる基材（１７ｂ）とシーラント層（１６）で構成され、この湯切り口形成用ハーフカット（５０）はシーラント層（１６）側から接着剤層（１５）まで刻設されているので、湯切り口開口用プルタブ（１３）を引っ張り上げ、この基部の内面シート（１０）に刻設されている表面シート剥離用ハーフカット（４０）を起点として表面シート（２０）を剥離する、いわゆる湯切り口（７０）の開口に際し、内面シート（１０）を構成する紙でなる基材（１７ｂ）が、その基材（１７ｂ）、すなわち紙の層間で層間剥離するようにした湯切り機能付即席食品容器（１００）としたものである。
【００３０】
上記請求項１に係る発明の他の形状を有する湯切り機能付即席食品容器として、例えば図２の上面図に示すように、略円形状の容器本体のフランジ部（２１）に、略同じ外形でなり、その外周には開封用プルタブ（１２）が設けられ、この開封用プルタブ（１２）に対峙する外周部には湯切り口開口用プルタブ（１３）が設けられている。
【００３１】
また、内面シートの湯切り口開口用プルタブ（１３）側には５個の湯切り口形成用ハーフカット（５０）が刻設されていて、さらに内面シート（１０）には、湯切り口開口用プルタブ（１３）の基部近傍に湯切り口を開口するための表面シート剥離用ハーフカット（４０）が施されている蓋材（１）を容器本体のフランジ部（２１）にシールしてなる湯切り機能付即席食品容器とすることもできる。
【００３２】
また、上記請求項２に係る発明は、例えば図４（ａ）の上面図およびそのＢ−Ｂ面を表す図４（ｂ）の断面図に示すように、容器本体（２）の開口部を形成するフランジ部（２１）に、表面シート（２０）と内面シート（１０）とが接着剤層（１５）を介して積層されている四角形状の蓋材（１）がシールされている湯切り機能付即席食品容器（１００）であって、この表面シート（２０）は、例えば印刷される紙層（１４）の裏面にアルミニウム箔（１９）がサンドイッチポリエチレン層（１８）を介して積層されていて、内面シート（１０）は、最内層のシーラント層（１６）とその上の基材で構成され、この基材は、請求項３に係る発明では、表層剥離により剥離する二軸延伸ポリプロピレン（ＯＰＰ）でなる基材（１７ａ）で構成されている。
【００３３】
上記四角形状の蓋材（１）は、容器本体（２）の開口部と略同じ外形を有し、その一角部には開封用プルタブ（１２）が設けられ、この開封用プルタブ（１２）に対峙する角部（１１ａ）を形成する一辺の縁の所定の位置に、湯切り口開口用プルタブ（１３）が設けられている。
【００３４】
上記内面シート（１０）の湯切り口開口用プルタブ（１３）側には６個の湯切り口形成用ハーフカット（５０）が内面シート（１０）を構成するシーラント層（１６）からＯＰＰでなる基材（１７ａ）を貫通し接着剤層（１５）まで刻設されていて、さらに内面シート（１０）には、湯切り口開口用プルタブ（１３）の基部近傍に湯切り口を開口するための表面シート剥離用ハーフカット（４０）が施されていて、さらに、湯切り口形成用ハーフカット（５０）が施されている湯切り口開口用プルタブ（１３）側の表面シート（２０）にはミシン目でなる表面シート切離線（４５）が前記角部（１１ａ）に対し水平に刻設され、この表面シート切離線（４５）は、前記角部（１１ａ）より両側に延びる側縁の約１／３程度の位置を結ぶように、かつ前記の表面シート剥離用ハーフカット（４０）の一端に連結している蓋材（１）を容器本体（２）のフランジ部（２１）にシールしてなる湯切り機能付即席食品容器（１００）である。
【００３５】
また、上記請求項２に係る発明の他の形状を有する湯切り機能付即席食品容器として、例えば図５の上面図に示すように、略円形状の容器本体のフランジ部（２１）に、略同じ外形でなり、その外周には開封用プルタブ（１２）が設けられ、この開封用プルタブ（１２）に対峙する外周部（１２ａ）を形成する一方の周縁の所定の位置には湯切り口開口用プルタブ（１３）が設けられている。
【００３６】
さらにまた、内面シートの湯切り口開口用プルタブ（１３）側には５個の湯切り口形成用ハーフカット（５０）が刻設されていて、さらに内面シート（１０）には、湯切り口開口用プルタブ（１３）の基部近傍に湯切り口を開口するための表面シート剥離用ハーフカット（４０）が施されている蓋材（１）を容器本体のフランジ部（２１）にシールしてなる湯切り機能付即席食品容器とすることもできる。
【００３７】
このように、上記請求項２、３に係る発明では、湯切り口形成用ハーフカット（５０）が施されている内面シート（１０）は、少なくとも表層剥離により剥離するＯＰＰでなる基材（１７ａ）とシーラント層（１６）で構成され、この湯切り口形成用ハーフカット（５０）はシーラント層（１６）側から接着剤層（１５）まで刻設されているもので、例えば図６の斜視図に示すように、図５に示す円形状のフランジ部（２１）を有する湯切り機
能付即席食品容器の湯切り口開口用プルタブ（１３）を引っ張り上げ、この基部の内面シートに刻設されている表面シート剥離用ハーフカット（４０）を起点として表面シート（２０）を剥離する、いわゆる湯切り口（７０）の開口に際し、内面シート（１０）を構成するＯＰＰでなる基材（１７ａ）がＯＰＰでなる基材（１７ａ）と接着剤層（１５）との界面で表層剥離により剥離するようにした湯切り機能付即席食品容器（１００）とするものである。
【００３８】
また、上記請求項２、４に係る発明では、特に図示しないが、例えば図４（ｂ）に示すＯＰＰでなる基材（１７ａ）を、層間剥離により剥離する紙でなる基材に代えた湯切り機能付即席食品容器とするものである。
【００３９】
以下に、本発明の湯切り機能付即席食品容器（１００）を構成する各層等使用材料やその形成方法等について具体的に説明する。
【００４０】
まず、本発明の湯切り機能付即席食品容器（１００）を構成する表面シート（２０）の主材である紙層（１４）としては、その表面が印刷適性に優れているもので、例えば坪量５０〜１５０ｇ／ｍ２  程度の片面アート紙、両面アート紙が好ましく、他に同程度の厚さのコート紙、上質紙なども用いることができる。
【００４１】
また、この紙層（１４）に代えて、または紙層（１４）の上に積層して厚さ１２μｍ程度のポリエチレンテレフタレート（ＰＥＴ）フィルムを用い、その裏面にグラビア印刷方式等で印刷したものとすることもできる。
【００４２】
また、表面シート（２０）と内面シート（１０）を接着せしめる接着剤層（１５）としては、この蓋材（１）の生産性を考慮して、例えばポリエチレン、アイオノマー、ポリプロピレン樹脂等の熱溶融押出しによるサンドラミネートが好ましく用いられるが、特にこれに限定するものではなく、種々の接着剤、例えばドライラミネート等において使用される２液硬化型ウレタン系接着剤、ポリエステルウレタン系接着剤、アクリル系接着剤、ポリエーテル系接着剤、ポリ酢酸ビニル系接着剤等を使用することができ、グラビアコート、ロールコート法等によって接着剤層（１５）とすることができる。
【００４３】
また、焼きそば等食品に対する遮光性やガスバリア性など保存性を考慮して、表面シート（２０）にバリア層として５〜２０μｍのアルミニウム箔（１９）を使用するのが一般的であり、このアルミニウム箔（１９）は、特に本発明の湯切り機能付即席食品容器のように、開封用プルタブ（１２）側から一部を開封剥離して、熱湯を注ぐに際し、蓋材が剥離された状態を保持している性質（デッドホールド性という）を有すると、熱湯を安全に確実に注ぎ易くすることができることから好適に使用される。
【００４４】
また、本発明の湯切り機能付即席食品容器の蓋材（１）を構成する複合シート（１０）のシーラント層（１６）としては、例えばヒートシール性に優れる直鎖低密度ポリエチレン（ＬＬＤＰＥ）、低密度ポリエチレン（ＬＤＰＥ）、高密度ポリエチレン（ＨＤＰＥ）、無延伸ポリプロピレン（ＣＰＰ）等のポリオレフィン樹脂あるいはエチレン／酢酸ビニル共重合体（ＥＶＡ）、エチレン／アクリル酸共重合体（ＥＡＡ）、エチレン／メタアクリル酸共重合体（ＥＭＡＡ）等エチレン共重合樹脂のフィルムが用いられるが、特に低温シール性と剥離開封性（イージーピール性）を考慮して、これらポリオレフィン樹脂にポリスチレンやポリブデン等からなる、該ポリオレフィン樹脂に対し不相溶性成分を混合したものなどの他、エチレン／酢酸ビニル共重合樹脂、エチレン／アクリル酸共重合樹脂等からなるホットメルト接着剤を塗布量１５〜２５ｇ／ｍ２  程度で設けたものとすることもできる。
【００４５】
また、内面シート（１０）を構成する表層剥離する基材として、厚さ６〜２５μｍ程度の二軸延伸ポリプロピレン（ＯＰＰ）フィルムが接着剤層（１５）との界面で表層剥離する基材（１７ａ）として好適に使用することができる。
【００４６】
また、内面シート（１０）を構成する層間剥離する基材として、坪量１００ｇ／ｍ２  程度の上質紙等非塗工紙、あるいはコート紙、アート紙等塗工紙が挙げられるが、特に層間剥離のし易い基材（１７ｂ）としては、前記の上質紙等非塗工紙が好適に使用することができる。
【００４７】
また、本発明の湯切り機能付即席食品容器の蓋材（１）をシールする容器本体（２）としては、断熱性材料を成形したものが用いられ、例えば厚さ１０ｍｍ程度の発泡ポリスチレンシートを真空成形方法で得ることができる。また、例えば紙製側壁と紙製底壁でなる紙製カップ本体の紙製側壁外面に、ライナー紙の片面にエンボスが施された断熱材を貼着した断熱シートを接着固定して紙製の容器本体としたものなどを用いることもできる。
【００４８】
以上のような本発明の湯切り機能付即席食品容器は、熱湯を注いで柔らかくほぐし、湯切りしてから食する即席焼きそばや即席生麺などの容器として、好適に用いられるものである。
【図面の簡単な説明】
【００４９】
【図１】本発明の湯切り機能付即席食品容器の一実施の形態を示すもので、（ａ）は、その上面図であり、（ｂ）は、（ａ）のＢ−Ｂ面における切断断面図である。
【図２】本発明の湯切り機能付即席食品容器の一事例で他の形状でなる上面図である。
【図３】本発明の湯切り機能付即席食品容器を用いて湯切り口を開口した事例を側断面図で示す模式図であり、（ａ）は、表層剥離による剥離で開口した事例であり、（ｂ）は、層間剥離による剥離で開口した事例である。
【図４】本発明の湯切り機能付即席食品容器の他の事例を示すもので、（ａ）は、その上面図であり、（ｂ）は、（ａ）のＢ−Ｂ面における切断断面図である。
【図５】本発明の湯切り機能付即席食品容器の一事例で他の形状でなる上面図である。
【図６】図５に示した湯切り機能付即席食品容器を用いて湯切り口を開口した一事例を説明する斜視図である。
【図７】従来の湯切り口付蓋材の一事例を説明する側断面図である。
【図８】従来の湯切り口付剥離性蓋材の一事例を説明するもので、（ａ）は、その側断面図であり、（ｂ）は、その上面図である。
【図９】従来の湯切り口付剥離性蓋材を、容器本体と一体化した一事例を説明する側断面図である。
【図１０】従来の湯切り口付剥離性蓋材の表面シートを剥離し、湯切り口を形成した一事例の側断面図である。
【図１１】従来の湯切り機能付即席食品容器の一事例を示すもので、（ａ）は、その上面図であり、（ｂ）は、そのＢ−Ｂ面を表す側断面図である。
【図１２】従来の湯切り機能を有する蓋材の湯切り口を開口した一事例を示す上面図である。
【符号の説明】
【００５０】
１‥‥蓋材
２‥‥容器本体
３‥‥湯切り口付剥離性蓋材
１０‥‥内面シート
１１ａ，１１ｂ‥‥角部
１２‥‥開封用プルタブ
１２ａ‥‥開封用プルタブと対峙する周縁部
１３‥‥湯切り口開口用プルタブ
１４‥‥紙層
１５‥‥接着剤層
１６‥‥シーラント層
１７ａ‥‥ＯＰＰでなる基材
１７ｂ‥‥紙でなる基材
１８‥‥サンドイッチポリエチレン層
１９‥‥アルミニウム箔
２０‥‥表面シート
２１‥‥フランジ部
２３‥‥二辺の一辺
２４‥‥もう一方の一辺
２９‥‥内容物
３０‥‥易剥離層
４０‥‥表面シート剥離用ハーフカット
４５‥‥切離線
５０‥‥湯切り口形成用ハーフカット
６０‥‥ハーフカット領域内接着部
７０‥‥湯切り口
７７‥‥突き破り用孔
１００‥‥湯切り機能付即席食品容器
Ｌ１‥‥易剥離領域
Ｌ２‥‥接着領域
Ｒ‥‥湯切り口形成用ハーフカットの内径
ａ‥‥ハーフカット線
ｂ‥‥切り込み線
ｒ‥‥ハーフカット領域内接着部の内径
【図１】
2005231636.tif 000003
【図２】
2005231636.tif 000004
【図３】
2005231636.tif 000005
【図４】
2005231636.tif 000006
【図５】
2005231636.tif 000007
【図６】
2005231636.tif 000008
【図７】
2005231636.tif 000009
【図８】
2005231636.tif 000010
【図９】
2005231636.tif 000011
【図１０】
2005231636.tif 000012
【図１１】
2005231636.tif 000013
【図１２】
2005231636.tif 000014